(57)【要約】      （修正有）【課題】消費者が、他の消費者の意見やアイデア、商品やサービスの情報を入手し、自分の意見を伝達し、企業や団体が商品やサービスの情報を提供し、商品やサービスに関する消費者の意見を収集可能なウェブサイトを提供する。【解決手段】商品、サービス別の双方向情報交換用ウェブサイトをそれぞれ個々に作成する。そして、そのウェブサイトへのアクセスを簡易化するため二次元バーコード等携帯電話で読み取り可能なコードを  商品、サービス別にそれぞれ個々に製作し、商品、商品タグ、包装用品、広告媒体などに付帯させる。消費者はそのウェブサイト上に商品やサービスに関する意見やアイデア、または、商品購入後の感想を載せたホームページを開設することができる。【選択図】図３
2006331238.tif 000002
【特許請求の範囲】
【請求項１】
消費者が、他の消費者の意見、または、商品やサービスの情報を、その場で、即座に入手、活用するためのシステムの構築。企業や団体など商品またはサービス提供者が、商品やサービス別のきめの細かい市場調査を入手するためのシステムの構築。消費者（商品購入者またはサービスを受けた人）の意見と、商品説明、サービス説明、消費者の意見の関連語句入力による検索機能を持つシステムの構築。また、消費者独自のホームページをつくることが出来る機能を持つシステムの構築。これらすべてのシステムが同時に利用可能な商品やサービス別ウェブサイトを個々に作成し、そのウェブサイトへ誘導する二次元バーコード等携帯電話で読み取り可能なコードを、商品別やサービス別にそれぞれつくり、商品や商品タグ、または包装用品、または広告媒体などに付帯させるシステム。このシステムを利用することにより、ウェブサイトを利用するホームページ作成者（消費者）のアクセス経路を限定することができるので、このウェブサイトを利用する企業等商品またはサービス提供者が、必要に応じて商品別、商店別、生産者別、地域別など各種ウェブサイトをリンクすることが可能になる。そして、これらすべてのウェブサイトをリンクするポータルサイトを作成することが可能になる。
【発明の詳細な説明】
【技術分野】
【０００１】
本発明は、消費者と、企業や団体など商品またはサービス提供者の両方にとって、有益なポータルサイトを作成し、それを利用する方法に関するものである。
【０００２】
本発明は、二次元バーコード等携帯電話で読み取り可能なコードを利用し、ユーザーにとって有益で、あらゆる方向に発展性の高いネットワークのシステムに関するものである。
【０００３】
二次元バーコード等とは、ＱＲコード・ＭＳ−ＣＯＤＥなどの大容量コードや、ＩＣチップなどの非接触型の無線方式次世代コード等をさす。
【０００４】
この発明は、携帯端末を使い、その携帯端末の使用者の考えや意見を個別のホームページに載せることで、消費者の新鮮な情報を提供することが可能になる双方向情報交換システムに関するものである。
【背景技術】
【０００５】
従来のＱＲコードは、携帯電話で読み取ることによりＵＲＬの入力を簡易化するという目的や、食品の原産地、生産者情報など一方向の情報伝達開示として使用されている。
【０００６】
消費者は、必要とする商品やサービスの情報を入手するために、企業や団体などからの商品情報やサービス情報と、消費者からの商品情報やサービス情報とを別々に調べる必要がある。
【０００７】
消費者は、商品やサービスに対して自分の意見を伝達するには、掲示板を利用したり、自分のホームページで公表したりする方法がある。
【０００８】
企業や団体などは、商品やサービスに関する消費者の自由な意見を知りたい場合は、個別の掲示板やアンケートなどで収集している。  
【発明の開示】
【発明が解決しようとする課題】
【０００９】
消費者が他の消費者の意見やアイデアを入手するウェブサイト、消費者が商品やサービスの情報を入手するウェブサイト、消費者が自分の意見を伝達するためのウェブサイト、企業が商品やサービスの情報を提供するウェブサイト、企業や団体などが商品やサービスに関する消費者の意見収集するウェブサイト、これらのウェブサイトがインターネット上で別々に存在しているため、消費者と企業にとって利用上たいへん不便であり、特に消費者は商品購入またはサービス提供を受ける直前に、その場で、商品やサービス情報、または他の消費者の意見を一括して入手出来ない。
【課題を解決するための手段】
【００１０】
商品、サービス別のウェブサイトを個々に作成し、そのウェブサイト内で、消費者の書き込みアンケートと消費者の意見が掲載されたホームページを検索する機能を持つシステムの構築。企業や団体などからの商品情報やサービス情報の掲載、また、消費者独自のホームページを製作できるシステムの構築。そして、そのウェブサイトへ誘導するために二次元バーコード等携帯電話で読み取り可能なコードを商品別やサービス別にそれぞれつくり、商品、商品タグ、包装用品、広告媒体などに付帯させる。
【発明の効果】
【００１１】
消費者は、二次元バーコード等携帯電話で読み取り可能なコードを読み取り、ウェブサイトにアクセスすることで、その場で短時間に他の消費者の新鮮な意見と、最新の商品情報を入手することが可能となり、さらに自分の意見を提供することができる。これは、店先に居ながら、購入を検討している消費者にとっては大きなアドバイスとなる。また企業や団体など商品、サービス提供者にとって、よりきめの細かい商品別の市場調査を、商品別の消費者のホームページより入手することができるので有意義になり、また、悪質な商品やサービスを排除する意味で、消費者保護の立場からも有用である。また、企業や団体など商品やサービス提供者は、そのウェブサイトを利用し、そのウェブサイトに属するホームページ所有者である消費者に、きめ細かいサービスの提供を可能にする。消費者であるホームページ製作者は、ホームページ製作のためのアクセス経路により、振り分けされる事になり、共通の、好み、趣味、考え方、地域性を、持った人のネットワークシステムが実現できる。
【発明を実施するための最良の形態】
【００１２】
消費者が他の消費者の意見やアイデアを入手するウェブサイト、商品やサービスの情報を入手するウェブサイト、消費者が自分の意見を伝達するためのウェブサイト、企業や団体などが商品やサービスの情報を提供するウェブサイト、企業や団体などが商品やサービスに関する消費者の意見を収集するウェブサイト、これらすべてのウェブサイトを、ひとつのウェブサイトＡに統合でき図１のように双方向の情報交換が可能になる。
【実施例１】
【００１３】
以下、この発明の実施例について図面を参照しながら説明する。
初回、商品やサービス情報希望の消費者は図２のようにウェブサイトＡにアクセスする。このとき、アクセス方法を簡易化するために二次元バーコード等携帯電話で読み取り可能なコードを使用する。図２ではＱＲコードを例にあげている。２回目からのアクセスについては携帯電話にＵＲＬの登録ができ、二次元バーコード等携帯電話で読み取り可能なコードは使用しなくてもよい。アクセスするウェブサイトＡの内容は図４のようになる。商品購入またはサービスを受けた消費者は独自のホームページを作成することで、商品やサービスについて独自の意見を公開できる。それによって、消費者のホームページがウェブサイトＡとリンクした状態が図５である。企業や団体などは、このホームページから、よりきめの細かい商品やサービス別の市場調査を入手できる。こうして出来たウェブサイトＡ群はポータルサイトＸで図６のようにリンクできる。
【実施例２】
【００１４】
図３のフローチャートを参照にしながら消費者側から見たシステムの実施例を説明する。図３は消費者からの商品に対する評価などの情報取得及びその閲覧を簡易化するためアンケートを追加した場合の実施例である。商品を購入した消費者Ａ、Ｂはアンケートに答えると独自のホームページを作成することが出来るようになり、意見を公開できる。アンケート集計結果はウェブサイト上で公開される。商品購入を検討中の消費者Ｃ,Ｄはアンケート集計結果を見るだけである程度の判断は出来るが、さらに詳しい情報が必要な場合は検索機能を使ってウェブサイト上にある消費者のホームページから情報を入手する。また、企業もアンケート集計結果と消費者のホームページの二つの情報を入手できる。
【産業上の利用可能性】
【００１５】
図６のように、ウェブサイトは、商品、サービスに応じて個別に作成することが出来るので、細分化されたウェブサイトを実現できる。それによって出来上がったウェブサイトを、それぞれの大きさでネットワークすることもできる。具体的には、表１のような利用方法がある。
【００１６】
【表１】
2006331238.tif 000003
表１は、二次元バーコード等携帯電話で読み取り可能なコードを、各種商品やサービスに付帯させることで可能となる実施例である。
「図の中で使用する語句の説明」
【００１７】
ウェブサイトＡは、商品やサービス別のウェブサイトを表す。ウェブサイトＢは、ウェブサイトＡを多く所有する企業や団体などが、必要によりウェブサイトＡ群の管理を容易にするために作成することができ、ポータルサイトＸとの中間に設置するサイトのことである。図５、図６で使用される消費者のＨＰとは、消費者のホームページをさす。
【図面の簡単な説明】
【００１８】
【図１】商品、サービス別ウェブサイトＡに消費者や企業や団体などがアクセスして情報を交換する説明図である。
【図２】消費者が、携帯電話をつうじて  ウェブサイトＡへアクセスする説明図である。ただし、図上のＱＲコードは二次元バーコード等携帯電話で読み取り可能なコードをさす。（実施例１）
【図３】消費者が購買にいたるまでのフローチャートである。ただし、図上のＱＲコードは二次元バーコード等携帯電話で読み取り可能なコードをさす。（実施例２）
【図４】ウェブサイトＡに携帯電話でアクセスしたときの最初の画面の内容の説明図である。（実施例１）
【図５】ウェブサイトＡに多数の消費者のホームページがリンクされた時の説明図である。（実施例１）
【図６】商品やサービスの種類によって、いくつかのウェブサイトＡを、ウェブサイトＢがリンクし、ウェブサイトＢをポータルサイトＸがさらにリンクすることが出来ることの説明図である。また、ウェブサイトＡは直接ポータルサイトＸにリンクする場合もある。（実施例１）
【図１】
2006331238.tif 000004
【図２】
2006331238.tif 000005
【図３】
2006331238.tif 000006
【図４】
2006331238.tif 000007
【図５】
2006331238.tif 000008
【図６】
2006331238.tif 000009